(57)【要約】【課題】事務椅子、安息椅子として、又、腕や上半身の鍛練用に使用できるリクライニング式椅子を提供する。【解決手段】背もたれ部を有する椅子本体と椅子支持機構と油圧ダンパとで構成する。支持機構は一対の基礎平行フレームを連結材にて椅子本体の横幅に略等しい間隔に連結し、各フレーム上に脚材と肘掛け材を立設する。椅子本体は脚材間に渡した軸回りに旋回可能に取り付け、後傾状態では背もたれ部が肘掛け材の後部間に渡したストッパー材に当接して静止し、前傾状態では座部下面の脚先端が連結材に当接して座部を水平にして静止するよう構成する。肘掛け材は前方先端が水平状態の座部に座った座者が伸ばした手先付近の位置となり、先端部は手でつかめる形状とする。油圧ダンパは基礎平行フレームの前方部を連結する連結材と座部の下面側との間に取り付け、椅子本体が旋回する際に抵抗力を生じさせる。【選択図】図１
2015002934.tif 000002
【特許請求の範囲】
【請求項１】
事務用や安息用に、また上半身鍛練用に使えるリクライニング式椅子であって、
座部に固定した背もたれ部を有する椅子本体と、該椅子本体を支持する支持機構と、油圧ダンパとを備えて構成され、
前記支持機構は連結材により前記椅子本体の横幅に略等しい間隔を隔てて連結した一対の基礎平行フレームと該各フレーム上に立設した脚材と肘掛け材とを備えて構成され、
前記椅子本体は左右の脚材間にかけ渡した軸回りに旋回可能に取り付けられ、後旋回した場合は背もたれ部が左右の肘掛け材の後部間に渡したストッパー材に当接して静止し、前旋回した場合は前記座部の前部下面に取り付けた脚の先端が前記連結材に当接して座部を水平にして静止するように構成され、
前記肘掛け材はその前方先端が水平状態の座部に座った座者が伸ばした手先付近の位置となり、先端部は手でつかめる形状にしてあり、
前記油圧ダンパは前記一対の基礎平行フレームの前方部を連結する連結材と前記座部の下面側との間に取り付けられて前記椅子本体が前後旋回する際に抵抗力を生ずるように構成されていることを特徴とするリクライニング式椅子。
【請求項２】
請求項１に記載のリクライニング式椅子において、前記椅子本体における前記座部と背もたれ部との間の角度を９５乃至１０５度にしたことを特徴とするリクライニング式椅子。
【発明の詳細な説明】
【技術分野】
【０００１】
本発明は、座部と背もたれ部とが一体となって傾動し、上半身の筋力トレーニングに使用可能なリクライニング式椅子に関する。
【背景技術】
【０００２】
従来のリクライニング式椅子は、座部は水平のまま背もたれ部の水平に対する角度を変えられるようにしたものである。この椅子の場合、背もたれ部の水平に対する角度θを４５度程度にして長時間使用すると腰下部、骨盤と腰椎の繋ぎ付近に疲れがでることをよく経験する。その理由を図５を参照して説明する。座者の上半身部には矢印で示す重力Ｇが働く。この重力Ｇは、背もたれ部５１から垂直下向きに働く力Ｆ１と、背もたれ部５１の面に沿う押し上げ力Ｆ２とにより支えられ、これにより上半身部は滑り落ちが阻止されている。
【０００３】
この押し上げ力Ｆ２は座者の臀部に下方から働く力であり、二つの力が合成されたものである。一つは座部から垂直上方向に働く力Ｆ３、もう一つは背もたれ部５１方向に水平に働いて臀部が前方に押し出されるのを阻止している力Ｆ４である。この力Ｆ４は、臀部と座部との間、及び大腿部と座部との間の摩擦に起因する。
【０００４】
背もたれ部５１がほぼ垂直の場合は、重力Ｇの働く位置は骨盤のほぼ真上にある。この場合、腰椎と骨盤は１４度前後の角度で繋がった状態で水平座部からの垂直上向きの力を臀部に受け、その力で重力Ｇを受けとめる。この場合には、その姿勢を長時間維持しても腰付近の疲れは少ない。一方、背もたれ部５１を４５°位傾けて座った場合には、重力Ｇの働く位置は骨盤の真上から外れた位置となる。重力Ｇの働く位置の下方から外れた位置に上向きに働く力Ｆ３は、腰椎と骨盤の繋ぎ部の角度を水平座部に座っている状態よりも大きくさせる。繋ぎ部の角度が大きくなった状態で力Ｆ３を受け止めるため、その姿勢を長く続けると腰椎と骨盤の繋ぎ部や腰下部に疲れを生ずる。飛行機に搭乗した際に腰の後ろに当てるクッションが提供されたり、ソファーに使用する腰当てクッションが販売されたりするのはこうした原因による疲れを少なくするためである。こうしたことから長時間リクライニングした姿勢を保っても腰下部に疲れを生じさせないリクライニング式椅子が求められる。
【０００５】
また、リクライニング方式は高級な事務椅子に採用されることも多い。パソコンが普及した今日では、椅子に座ったまま長時間、パソコン画面と向き合う事務が増えている。そうしたデスクワークでは同じ姿勢を長時間続けることから運動不足となり、肩、首、背中等の上半身部に凝りを生じやすい。かといって、そうした運動不足解消のため席を離れ、別の場所に移動して身体を動かすのは面倒である。こうした時に席を離れることなく、椅子に座ったまま簡易に上半身を動かして凝り等を解消できれば便利である。また、そうした簡易な運動のためだけでなく、積極的に腕部や胸部を鍛える筋力トレーニングにも使用できれば更に便利である。
【０００６】
事務椅子として、また、上半身の筋力トレーニング器具として使用できる椅子としては、例えば特許文献１〜４に公開されているものがある。しかし、特許文献１、２の椅子はリクライニング式ではない。また、特許文献３の椅子は特別のエアー給排気装置を必要とする。また、特許文献４の椅子はトレーニング専用の椅子であり事務椅子としては使用できない。
【先行技術文献】
【特許文献】
【０００７】
【特許文献１】特開２００４−１８１１７９号公報
【特許文献２】特開２００８−１１０１４９号公報
【特許文献３】特開２０００−２４５８６５号公報
【特許文献４】特開２０００−３１６６７０号公報
【発明の開示】
【発明が解決しようとする課題】
【０００８】
本発明は、従来技術のこうした問題点を解決するためになされたもので、その課題は腰下部に疲れを生ずることなくクライニング状態で安息でき、事務椅子としても使用でき、且つ、座ったまま腕部や胸部を軽く動かしたり、鍛練したりする運動にも使用できるリクライニング式椅子を提供することにある。
【課題を解決するための手段】
【０００９】
前記課題を解決するための請求項１に記載の発明は、事務用や安息用に、また上半身鍛練用に使えるリクライニング式椅子であって、座部に固定した背もたれ部を有する椅子本体と、該椅子本体を支持する支持機構と、油圧ダンパとを備えて構成され、支持機構は連結材により椅子本体の横幅に略等しい間隔を隔てて連結した一対の基礎平行フレームと該各フレーム上に立設した脚材と肘掛け材とを備えて構成され、椅子本体は左右の脚材間にかけ渡した軸回りに旋回可能に取り付けられ、後旋回した場合は背もたれ部が左右の肘掛け材の後部間に渡したストッパー材に当接して静止し、前旋回した場合は座部の前部下面に取り付けた脚の先端が連結材に当接して座部を水平にして静止するように構成され、肘掛け材はその前方先端が水平状態の座部に座った座者が伸ばした手先付近の位置となり、先端部は手でつかめる形状にしてあり、油圧ダンパは一対の基礎平行フレームの前方部を連結する連結材と座部の下面側との間に取り付けられて椅子本体が前後旋回する際に抵抗力を生ずるように構成されていることを特徴とするリクライニング式椅子である。
【００１０】
このような構成のリクライニング式椅子は、背もたれ部を立てた状態では事務椅子として使用でき、背もたれ部を含む椅子本体全体を後傾させてリクライニング姿勢にすることにより安息椅子として使用できる。本構成では、リクライニング姿勢では座部も上向きに傾いた状態となり、座者の腰椎と骨盤の繋ぎ部にその角度を変えようとする力が働かないため、長く同じ姿勢を保っても腰下部に疲れを生じにくい利点を有する。また、座部の下面と連結材との間に取り付けた油圧ダンパは椅子本体を前後旋回させる際に抵抗力を生じさせる。このため肘掛け材の先端部を手でつかんで椅子本体を前後旋回させる際には腕にかなりの力を加える必要があることから、前後旋回動作を繰り返して腕や上半身を鍛練するエクササイズ用椅子としても使用できる。
【００１１】
また、請求項２に記載の発明は、請求項１に記載のリクライニング式椅子において、椅子本体における座部と背もたれ部との間の角度を９５乃至１０５度にしたことを特徴とするリクライニング式椅子である。
【００１２】
このような構成のリクライニング式椅子は請求項１に記載の椅子と同様の効果を奏する。
【図面の簡単な説明】
【００１３】
【図１】本発明に係るリクライニング式椅子の斜視図である。
【図２】座者が座部を水平にして座っている状態の側面図である。
【図３】座者が背もたれ部をストッパー材に当接させた傾動状態で座っている状態の側面図である。
【図４】本発明に係るリクライニング式椅子を後方に傾動させたときに座者に加わる力の説明図である。
【図５】従来のリクライニング式椅子の場合の図４相当図である。
【発明を実施するための形態】
【００１４】
以下、本発明に係るリクライニング式椅子の構成例について図面を参照して説明する。
図１はリクライニング式椅子１の一実施形態の斜視図、図２はそのリクライニング式椅子１に座者２が座部３を水平にして座っている状態の側面図である。リクライニング式椅子１は座部３と背もたれ部４からなる椅子本体５と、該椅子本体５を支持する支持機構７と、油圧ダンパ８を備えて構成されている。椅子本体５の座部３と背もたれ部４は一体的に構成されており、座部３と背もたれ部４間の角度は９５乃至１０５度にしてある。
【００１５】
支持機構７は左右一対の基礎平行フレーム９と、それらの上に対向して立設した脚材１０と肘掛け材１１とで構成されている。一対の基礎平行フレーム９の間隔は、その間にかけ渡した前方、後方の２つの連結材１２ａ、１２ｂにより椅子本体５の横幅にほぼ等しくされている。脚材１０は椅子本体５と座者２の重量を支える部分である。
【００１６】
左右の脚材１０の上部間には回転軸１３がかけ渡してあり、椅子本体５は該回転軸１３回りに旋回可能に取り付けられている。座部３を水平にして座った状態では、座者２と椅子本体５とを合わせた重心位置が回転軸１３の前方となるように椅子本体５の回転軸１３への取り付け位置が調整してある。椅子本体５は、後旋回した場合は左右の肘掛け材１１の後部間に取り付けたストッパー材１６に当接して静止し、前旋回した場合は座部３の前部下面に取り付けた脚１４の先端が前方の連結材１２ａに当接して座部３を水平にして静止する。
【００１７】
肘掛け材１１は座者が肘を掛ける部分であり、その先端は水平な座部３に座った座者２が伸ばした手先付近の位置となり、先端部１５は手でつかめる形状にしてある。油圧ダンパ８は一対の基礎平行フレーム９の前方部を連結する連結材１２ａと座部３の下面との間に取り付けてあり、椅子本体５が前後旋回する際にその旋回に対して抵抗力を生ずる。
【００１８】
次に、このように構成されたリクライニング式椅子１の使用法について説明する。座部３を水平にして座者３が座った状態は図２に示すようになる。背もたれ部４の水平に対する角度は９５乃至１０５度にしてあり事務用の椅子としてデスクワークに使用できる。この状態から肘掛け材１１の先端部１５を座者３が手でつかんで前方に押すと、肘掛け材１１は基礎平行フレーム９に固定されて動かないためその反力が座者３の身体に働き、座者３の身体を後方に倒そうとする。すると座者３の背中が背もたれ部４を押し、椅子本体５を回転軸１３回りに後旋回させる。後旋回した椅子本体５はその背もたれ部４がストッパー材１６に当接して静止する。静止した状態を図３に示す。静止した状態では背もたれ部４の水平に対する角度が略４５度になるようにストッパー材１６の取り付け位置が調整してある。
【００１９】
図３の状態は従来のリクライニング式椅子で背もたれ部を後方に倒した状態に相当するが、本実施形態のリクライニング式椅子１が従来のリクライニング式椅子と異なるのは座部３も背もたれ部４と一緒に旋回してその水平に対する角度が３０乃至４０度に傾く点にある。図４は、この状態において座者３の身体に働く力の様子を前述した従来の図５との比較で示した図である。背もたれ部４が傾斜しているため座者３の上半身部は背もたれ部４に沿って下方にずり落ちようとする。ずり落ちを防ぐには、身体に働く重力Ｇの背もたれ部４の傾き方向成分に抗する力Ｆ２が臀部に働く必要がある。この力Ｆ２は背中と背もたれ部４間の摩擦を無視すれば座部３から座者３の臀部に加わる力である。この力Ｆ２は本実施形態のリクライニング式椅子１では、座部３の表面にほぼ直角の方向から臀部に加わり、その延長線は座者３の上半身部の重心付近を通る。即ち、臀部が受ける力の方向は座部３を水平にして座っている場合と同じ方向である。従って、この姿勢を長く続けても腰椎と骨盤の繋ぎ部分や腰下部に疲れの生じることは少なく、安息用椅子として適している。
【００２０】
また、本実施形態のリクライニング式椅子１は、座ったまま腕部や胸部を軽く動かしたり、鍛練したりするエクササイズ用椅子としても使用できる。座部３が水平の状態から背もたれ部４をストッパー材１６に当接させるリクライニクング姿勢に変える際には、座者３は両手を伸ばして肘掛け材１１の先端部１５を手でつかんで前方に押す。その反力として座者３と椅子本体５は後方に旋回する。その際、基礎平行フレーム９を連結する連結材１２ａと座部３の下面との間に取り付けた油圧ダンパ８が旋回に対して抵抗力を生ずる。また、座部３が水平状態では、座者３と椅子本体５を合わせた重心位置が椅子本体５の回転軸１３より前方になるよう椅子本体５が回転軸１３に取り付けてあるため、座者３と椅子本体５を水平方向に戻そうとする回転モーメントが働き、それに抗する旋回力を与える力も必要である。これらのことから先端部１５を手前に引く腕及び上半身部には相当の力が要求される。
【００２１】
反対に傾動した状態から元の水平状態に戻す際は、座者３は肘掛け材１１の先端部１５を手でつかんで引き寄せる。その反力として座者３の身体は前傾旋回して大腿部が座部３を押して椅子本体５を前旋回させて水平状態に戻そうとする。その際、油圧ダンパ８はその旋回に対して抵抗力を生ずる。また、背もたれ部４が傾動した状態では、座者３と椅子本体５を合わせた重心位置が椅子本体５の回転軸１３より後方になるようにしてあるため座者３と椅子本体５を後旋回させるモーメントが働いている。従って、背もたれ部４を元に戻そうと旋回開始させる際には、その回転モーメントに抗するモーメントを発生させために腕に余分の引く力が要求される。このようにリクライニング式椅子１を前後に旋回させる際には座者３の腕及びそれを支える上半身部にかなりの力が要求される。従って、その動作を繰り返して腕や上半身部を鍛練するエクササイズ用椅子としても使用できる。また、鍛練のためではなくデスクワークの間に数回、前後に旋回させる運動を行うことによりデスクワークで生じた腕の疲れ、肩や首の凝りを和らげることにも使用できる。
【符号の説明】
【００２２】
図面中、１はリクライニング式椅子、２は座者、３は座部、４は背もたれ部、５は椅子本体、７は支持機構、８は油圧ダンパ、９は基礎平行フレーム、１０脚材、１１は肘掛け材、１２ａ、２ｂは連結材、１３は軸、１４は脚、１５は先端部、１６はストッパー材を示す。
【図１】
2015002934.tif 000003
【図２】
2015002934.tif 000004
【図３】
2015002934.tif 000005
【図４】
2015002934.tif 000006
【図５】
2015002934.tif 000007